(57)【要約】【課題】  一度に表示可能なデータ数に限界がある限定された表示領域に大量データを表示する場合であっても、スケジュールデータとコンテンツデータの表示形態を、操作者の指示によって変更可能とすることで、データの特定を容易にする目的がある。【解決手段】  スケジュールデータを表示可能なスケジュールデータ表示手段と、スケジュールデータ以外のコンテンツデータをスケジュールデータと区別して表示可能なコンテンツデータ表示手段と、を備えることを特徴とするデータ表示装置において、前記スケジュールデータ表示手段及びコンテンツデータ表示手段により各データをスケジューラ形式で同時に表示可能なスケジューラ同時表示手段と、を備えることを特徴とする。【選択図】  図１９
2006139466.tif 000002
【特許請求の範囲】
【請求項１】
スケジュールデータを表示可能なスケジュールデータ表示手段と、スケジュールデータ以外のコンテンツデータをスケジュールデータと区別して表示可能なコンテンツデータ表示手段と、を備えることを特徴とするデータ表示装置において、
前記スケジュールデータ表示手段及びコンテンツデータ表示手段により各データをスケジューラ形式で同時に表示可能なスケジューラ同時表示手段と、を備えることを特徴とする情報処理装置。
【請求項２】
前記スケジューラ同時表示手段は、１日分の表示領域をスケジュールデータとコンテンツデータで分け合って表示することを特徴とする請求項１記載の情報処理装置。
【請求項３】
前記スケジューラ同時表示手段は、スケジュールデータの表示領域とコンテンツデータの表示領域を決定する表示領域決定手段と、
前記表示領域決定手段により決定されたスケジュールデータの表示領域内で、各スケジュールデータの表示領域を決定するスケジュールデータ表示領域決定手段と、
前記表示領域決定手段により決定されたコンテンツデータの表示領域内で、各コンテンツデータの表示領域を決定するコンテンツデータ表示領域決定手段と、を備えることを特徴とする請求項２記載の情報処理装置。
【請求項４】
前記表示領域決定手段により決定された表示領域の変更を指示可能な表示領域変更指示手段と、を備えることを特徴とする請求項３記載の情報処理装置。
【請求項５】
前記スケジューラ同時表示手段は、表示サイズの拡大・縮小を指示可能なズーム指示手段と、
前記ズーム指示手段の指示に従って表示サイズを拡大・縮小するズーム表示手段と、を備えることを特徴とする請求項１記載の情報処理装置。
【請求項６】
前記ズーム表示手段は、表示されるデータのアイコンサイズを対象とすることを特徴とする請求項５記載の情報処理装置。
【請求項７】
前記ズーム表示手段は、表示されるデータのフォントサイズを対象とすることを特徴とする請求項５記載の情報処理装置。
【請求項８】
前記ズーム表示手段は、表示領域の時間軸を対象とすることを特徴とする請求項５記載の情報処理装置。
【請求項９】
スケジュールデータを操作するスケジュールデータ操作手段と、を備えることを特徴とするスケジュールデータ操作装置において、スケジュールデータの操作を禁止するスケジュールデータ操作禁止手段と、を備えることを特徴とする情報処理装置。
【請求項１０】
前記スケジュールデータ表示手段は、操作禁止を意味した通常表示とは区別可能な表示形態で、スケジュールデータを表示するスケジュールデータ操作禁止表示手段と、を備えることを特徴とする請求項１記載の情報処理装置。
【請求項１１】
コンテンツデータの検索や操作を目的とした場合に、スケジュールデータ操作を禁止することを特徴とする請求項１及び１０記載の情報処理装置。
【請求項１２】
スケジュール表示とコンテンツ表示のどちらを優先すべきか決定する表示優先決定手段と、を備えることを特徴とする請求項１記載の情報処理装置。
【請求項１３】
前記表示優先決定手段によりスケジュール表示優先と判断された場合、
前記コンテンツ表示手段では、コンテンツの存在だけが判別可能な形態で表示するコンテンツ判別表示手段と、を備えることを特徴とする請求項１２記載の情報処理装置。
【請求項１４】
前記表示優先決定手段によりコンテンツ表示優先と判断された場合、
前記スケジュール表示手段では、スケジュールの存在だけが判別可能な形態で表示するスケジュール判別表示手段と、を備えることを特徴とする請求項１２記載の情報処理装置。
【請求項１５】
前記ズーム指示手段により、表示に十分な領域が確保されなかった場合、
前記コンテンツ判別表示手段、または、スケジュール判別表示手段により、表示することを特徴とする請求項５および１２から１４記載の情報処理装置。
【請求項１６】
請求項１から１５記載の情報処理方法。
【請求項１７】
請求項１から１５記載の処理を機能させるプログラムを記録した記録媒体。
【請求項１８】
請求項１から１５記載の処理をコンピュータによって実現させるための制御プログラム。
【発明の詳細な説明】
【技術分野】
【０００１】
本発明は、スケジューラ時間軸上でのデータ表示のような、限定された狭い表示領域でのデータ表示技術に関する。
【背景技術】
【０００２】
従来技術を用いたスケジュール表示装置により、スケジュールデータをカレンダ形式で表示することが可能である。
【０００３】
図１は、従来技術におけるカレンダ形式表示処理の流れを示した図の一例である。
【０００４】
同図において、ステップｓ１０１のカレンダ枠表示処理で、図３から図４で後述する各種形態で、スケジュールデータを表示する為のカレンダ枠を表示する。続くステップｓ１０２のスケジュール取得処理で、前述のカレンダ枠表示処理で表示対象となっているスケジュールデータが取得される。次のステップｓ１０３で対象を前記スケジュール取得処理で取得されたスケジュールデータ群の先頭に初期化され、続くステップｓ１０４で終了かどうか判断される。
【０００５】
その結果、ステップｓ１０４で終了と判断されなかった場合、ステップｓ１０５のスケジュール表示処理により、対象のスケジュールデータが、前記カレンダ枠表示処理で表示された画面の該当位置に表示され、続くステップｓ１０６で対象を進めた後、ステップｓ１０４に戻り、処理を繰り返す。
【０００６】
以上、全ての対象に対する処理を終了し、ステップｓ１０４で終了と判断された場合、処理を終了する。
【０００７】
図２は、前述の従来技術における、前記スケジュール取得処理で対象となるスケジュールデータベースの一例である。該スケジュールデータベースに記憶される各スケジュールデータは、それぞれ開始時間（ｓｔａｒｔ）、終了時間（ｅｎｄ）、要約（ｓｕｍｍａｒｙ）を持っており、前記スケジュール取得処理により指定された時間帯のスケジュールデータが取得される。
【０００８】
図３から図４は、前述の従来技術における、前記カレンダ形式表示処理で表示される画面の一例である。
【０００９】
図３は時間軸週間スケジュールの表示画面の一例であり、スケジュールが存在する日の該時間帯にスケジュール概要が表示されている。
【００１０】
図４は時間軸日間スケジュールの表示画面の一例であり、該時間帯にスケジュール概要が表示されている。
【００１１】
このように、従来技術によれば、もともと時間と関連付けられているスケジュールデータを、時間的な視認性を高めたカレンダ形式表示により、効率的に検索操作することを可能としているが、ユーザーが行った操作、発生したイベント、予定等に対応した処理の情報を、カレンダ形式表示することができなかった為、スケジュールデータ同様に時間と関連付けられているのにも関わらず、効率的に検索操作できなかった。
【００１２】
上記課題に着目した例では、スケジュールデータと同時に、他のデータも表示することで、解決している。
【００１３】
図５は、このようなカレンダ形式表示処理の流れを示した図の一例である。
【００１４】
同図において、ステップｓ５０１のカレンダ枠表示処理で、図６から図７で後述する各種形態で、スケジュールデータを表示する為のカレンダ枠を表示する。続くステップｓ５０２のスケジュール取得処理で、前述のカレンダ枠表示処理で表示対象となっているスケジュールデータが取得される。次のステップｓ５０３で対象を前記スケジュール取得処理で取得されたスケジュールデータ群の先頭に初期化され、続くステップｓ５０４で終了かどうか判断される。
【００１５】
その結果、ステップｓ５０４で終了と判断されなかった場合、ステップｓ５０５のスケジュール表示処理により、対象のスケジュールデータが、前記カレンダ枠表示処理で表示された画面の該当位置に表示され、続くステップｓ５０６で対象を進めた後、ステップｓ５０４に戻り、処理を繰り返す。
【００１６】
以上、全ての対象に対する処理を終了し、ステップｓ５０４で終了と判断された場合、ステップｓ５０７の処理情報取得処理で、前述のカレンダ枠表示処理で表示対象となっている処理情報が取得される。次のステップｓ５０８で対象を前記処理情報取得処理で取得された処理情報群の先頭に初期化され、続くステップｓ５０９で終了かどうか判断される。
【００１７】
その結果、ステップｓ５０９で終了と判断されなかった場合、ステップｓ５１０の処理情報表示処理により、対象の処理情報が、前記カレンダ枠表示処理で表示された画面の該当位置に表示され、続くステップｓ５１１で対象を進めた後、ステップｓ５０９に戻り、処理を繰り返す。
【００１８】
以上、全ての対象に対する処理を終了し、ステップｓ５０９で終了と判断された場合、処理を終了する。
【００１９】
図６から図７は、図５のカレンダ形式表示処理で表示される画面の一例である。
【００２０】
図６は時間軸週間スケジュールの表示画面の一例であり、スケジュールが存在する日の該時間帯にスケジュール概要と処理情報が表示されている。
【００２１】
図７は時間軸日間スケジュールの表示画面の一例であり、該時間帯にスケジュール概要と処理情報が表示されている。
【特許文献１】特開平５−０３５７３７号公報
【特許文献２】特開平７−２８２１２９号公報
【発明の開示】
【発明が解決しようとする課題】
【００２２】
このように、従来例では、スケジューラ画面上に、スケジュールデータと共に、他のデータを表示することで、データの検索効率を高めている。
【００２３】
しかし、前述の通り、スケジューラ画面のような、時間軸上の限定された表示領域にデータが配置される表示形態では、一度に表示可能なデータ数に限界があるために、表示対象データが大量になった場合の視認性低下が避けられなかった。
【００２４】
また、特開平５−０３５７３７によれば、文書データをカレンダ上に表示しているだけであり、スケジュールとそれ以外のデータを同時表示していない。
【００２５】
また、特開平７−２８２１２９によれば、選択されたスケジュールと関連するデータを同時表示しているが、スケジュールとそれ以外のデータをカレンダ上に同時表示していない。
【００２６】
本発明は上記課題を解決する為のものであり、一度に表示可能なデータ数に限界がある限定された表示領域に大量データを表示する場合であっても、スケジュールデータとコンテンツデータの表示形態を、操作者の指示によって変更可能とすることで、データの特定を容易にすることを目的とする。
【課題を解決するための手段】
【００２７】
本発明によれば、スケジュールデータを表示可能なスケジュールデータ表示手段と、スケジュールデータ以外のコンテンツデータをスケジュールデータと区別して表示可能なコンテンツデータ表示手段と、を備えることを特徴とするデータ表示装置において、前記スケジュールデータ表示手段及びコンテンツデータ表示手段により各データをスケジューラ形式で同時に表示可能なスケジューラ同時表示手段と、を備えることを特徴とする情報処理装置が提供される。
【００２８】
また、本発明によれば、スケジュールデータを表示可能なスケジュールデータ表示ステップと、スケジュールデータ以外のコンテンツデータをスケジュールデータと区別して表示可能なコンテンツデータ表示ステップと、を備えることを特徴とするデータ表示方法において、前記スケジュールデータ表示ステップ及びコンテンツデータ表示ステップにより各データをスケジューラ形式で同時に表示可能なスケジューラ同時表示ステップと、を備えることを特徴とする情報処理方法が提供される。
【００２９】
また、本発明によれば、スケジュールデータを表示可能なスケジュールデータ表示ステップと、スケジュールデータ以外のコンテンツデータをスケジュールデータと区別して表示可能なコンテンツデータ表示ステップと、を備えることを特徴とするデータ表示方法において、前記スケジュールデータ表示ステップ及びコンテンツデータ表示ステップにより各データをスケジューラ形式で同時に表示可能なスケジューラ同時表示ステップと、を備えることを特徴とするプログラムを記録した記録媒体が提供される。
【発明の効果】
【００３０】
以上説明したように、本発明によれば、一度に表示可能なデータ数に限界がある限定された表示領域に大量データを表示する場合であっても、スケジュールデータとコンテンツデータの表示境界を、操作者の指示によって変更可能とすることで、データの特定を容易にする効果がある。
【００３１】
また、更に、一度に表示可能なデータ数に限界がある限定された表示領域に大量データを表示する場合であっても、注目する情報を拡大・縮小操作可能とすることで、データの特定を容易にする効果がある。
【００３２】
また、更に、スケジュールデータの操作を目的とせずに、コンテンツデータ検索の目印のみを目的とした表示が可能となり、コンテンツデータ検索の操作性向上効果がある。
【００３３】
また、更に、一度に表示可能なデータ数に限界がある限定された表示領域に大量データを表示する場合であっても、優先表示したい対象を指定可能とすることで、データの特定を容易にする効果がある。
【発明を実施するための最良の形態】
【００３４】
以下、図面を参照して本発明の好適な実施形態を詳細に説明する。
【００３５】
図８は実施形態１の情報処理装置のハードウェア構成を示すブロック図である。
【００３６】
同図において、１は情報（データ）を入力するための入力部である。２はＣＰＵであり、各種処理のための演算、論理判断等を行ない、バス６に接続された各構成要素を制御する。３は情報（データ）を出力する出力部である。出力部３としては、ＬＣＤやＣＲＴ等のディスプレイや、プリンタ等の記録装置がある。
【００３７】
４はプログラムメモリであり、後述するフローチャートの処理手順を含むＣＰＵ２による制御のためのプログラムを格納するメモリである。プログラムメモリ４は、ＲＯＭであってもよいし、外部記憶装置等からプログラムがロードされるＲＡＭであってもよい。
【００３８】
５はデータメモリであり、各種処理で生じたデータを格納する。データメモリ５は、例えば、ＲＡＭとするが、不揮発な外部記憶媒体から、処理に先立ってロードしておく、あるいは必要があるごとに参照するものとする。
【００３９】
６はＣＰＵ２の制御の対象とする各構成要素を指示するアドレス信号、各構成要素を制御するためのコントロール信号、各構成要素間で相互にやりとりされるデータの転送を行うためのバスである。
【００４０】
（実施形態１）
図９は、実施形態１において、全体処理の流れを示した図の一例である。
【００４１】
同図において、ステップｓ９０１のイベント入力処理で、ユーザーによる操作、発生したイベントが入力検知される。
【００４２】
その結果、続くステップｓ９０２で終了が指示されたと判断された場合、処理を終了する。
【００４３】
ステップｓ９０２でスケジューラ形式表示が指示されたと判断された場合、ステップｓ９０３のスケジューラ表示処理で各種データが表示された後、ステップｓ９０１に戻り、処理を繰り返す。
【００４４】
ステップｓ９０２で表示領域変更操作が行われたと判断された場合、ステップｓ９０４の表示領域変更処理により、スケジュールデータとコンテンツデータの表示領域指定を変更した後、ステップｓ９０１に戻り、処理を繰り返す。
【００４５】
ステップｓ９０２でデータが指定されたと判断された場合、ステップｓ９０５の指定データ対応処理で、指定されたデータに応じた処理を実行した後、ステップｓ９０１に戻り、処理を繰り返す。
【００４６】
ステップｓ９０２で上記以外のその他の処理が指示されたと判断された場合、ステップｓ９０６の個別処理で対応する処理が実行された後、ステップｓ９０１に戻り、処理を繰り返す。
【００４７】
図１０は、実施形態１において、スケジューラ表示処理の流れを示した図の一例である。
【００４８】
同図において、ステップｓ１００１のカレンダ枠表示処理で、図１７から図１８で後述する各種形態で、スケジュールデータを表示する為のカレンダ枠を表示する。続くステップｓ１００２の表示領域決定処理で、前述の表示領域変更処理により変更指定された定義で表示領域を決定し、次のステップｓ１００３のスケジュール取得処理で、前述のカレンダ枠表示処理で表示対象となっているスケジュールデータが取得される。
【００４９】
次のステップｓ１００４で対象を前記スケジュール取得処理で取得されたスケジュールデータ群の先頭に初期化され、続くステップｓ１００５で終了かどうか判断される。
【００５０】
その結果、ステップｓ１００５で終了と判断されなかった場合、ステップｓ１００６のスケジュール表示処理により、対象のスケジュールデータが、前記カレンダ枠表示処理で表示された画面の該当位置に表示され、続くステップｓ１００７で対象を進めた後、ステップｓ１００５に戻り、処理を繰り返す。
【００５１】
以上、全ての対象に対する処理を終了し、ステップｓ１００５で終了と判断された場合、ステップｓ１００８のスケジューラ形式データ表示処理により、前記カレンダ枠表示処理で表示された画面の該当位置に、各種データが表示され、処理を終了する。
【００５２】
図１１は、実施形態１において、スケジューラ形式データ表示処理の流れを示した図の一例である。
【００５３】
同図において、ステップｓ１１０１のデータ取得処理で、表示対象となっている全データが取得され、続くステップｓ１１０２で処理対象が取得された全データ先頭で初期化され、続くステップｓ１１０３で終了かどうか判断される。
【００５４】
その結果、ステップｓ１１０３で終了と判断されなかった場合、ステップｓ１１０４の同一表示位置データ取得処理により、同一表示位置に表示すべきデータが取得され、続くステップｓ１１０５で前記取得されたデータ数が表示可能データ数以下かどうか判断される。
【００５５】
その結果、ステップｓ１１０５で表示可能と判断された場合にはステップｓ１１０６のデータ表示処理で標準的な形態で表示され、表示不可能と判断された場合にはステップｓ１１０８の大量データ表示処理で大量データに適した形態で表示される。
【００５６】
その後、ステップｓ１１０７で、上記表示されたデータ数分だけ、処理対象を進め、再びステップｓ１１０３に戻って、処理を繰り返す。
【００５７】
ステップｓ１１０３で、処理対象が終了と判断された場合、処理を終了する。
【００５８】
図１２は、実施形態１において、データ表示処理の流れを示した図の一例である。
【００５９】
同図において、ステップｓ１２０１で、データが表示される水平位置が、表示可能領域左端で初期化される。
【００６０】
更に、続くステップｓ１２０２で処理対象が表示対象データ群先頭で初期化され、続くステップｓ１２０３で終了かどうか判断される。
【００６１】
その結果、ステップｓ１２０３で終了と判断されなかった場合、ステップｓ１２０４の水平位置データ表示処理により、指定された水平位置にデータが表示され、続くステップｓ１２０５で、表示されたデータ分だけ水平位置が加算され、続くステップｓ１２０６で処理対象が進められ、再びステップｓ１２０３に戻って、処理を繰り返す。
【００６２】
ステップｓ１２０３で、処理対象が終了と判断された場合、処理を終了する。
【００６３】
図１３は、実施形態１において、大量データ表示処理の流れを示した図の一例である。
【００６４】
同図において、ステップｓ１３０１の１データ表示サイズ決定処理により、表示可能領域に表示対象データ全てを表示した場合の１データのサイズが決定される。
【００６５】
その結果、ステップｓ１３０２で１データの表示サイズが規定サイズ以下と判断されなかった場合、ステップｓ１３０３の大量データ縮小表示処理により、表示対象データ全てを縮小表示して、処理を終了する。
【００６６】
前記ステップｓ１３０２で１データの表示サイズが規定サイズ以下と判断された場合、ステップｓ１３０４で代表データがないかどうか判断される。
【００６７】
その結果、代表データがあると判断された場合、ステップｓ１３０５の大量データ代表表示処理により、表示対象データ全てを表示する代わりに代表データを表示して、処理を終了する。
【００６８】
前記ステップｓ１３０４で代表データがないと判断された場合、ステップｓ１３０６の大量データ重ね合せ表示処理により、表示対象データを重ね合わせて表示して、処理を終了する。
【００６９】
図１４は、実施形態１において、大量データ重ね合せ表示処理の流れを示した図の一例である。
【００７０】
同図において、ステップｓ１４０１で、データが表示される水平位置が、表示可能領域左端で初期化される。
【００７１】
更に、続くステップｓ１４０２で処理対象が表示対象データ群先頭で初期化され、続くステップｓ１４０３で終了かどうか判断される。
【００７２】
その結果、ステップｓ１４０３で終了と判断されなかった場合、ステップｓ１４０４で表示対象の水平位置が１データを表示可能な位置を越えていないかどうか判断される。
【００７３】
その結果、ステップｓ１４０４で表示可能と判断された場合、続くステップｓ１４０５の水平位置データ表示処理により、指定された水平位置にデータが表示され、続くステップｓ１４０６及びステップｓ１４０７で、水平位置及び垂直位置が非重複幅分加算され、続くステップｓ１４０８で処理対象が進められ、再びステップｓ１４０３に戻り、処理を繰り返す。
【００７４】
前記ステップｓ１４０３で終了と判断された場合、あるいは、前記ステップｓ１４０４で表示不可能と判断された場合、処理を終了する。
【００７５】
図１５は、実施形態１において、データ取得処理で対象となるデータベースの一例である。該データベースに記憶される各データは、それぞれ時間（ｔｉｍｅ）、対象（ｏｂｊｅｃｔ）を持っており、前記データ取得処理により指定された時間帯のデータが取得される。
【００７６】
図１６は、実施形態１において、参照されるデータ種類対応表の一例である。該データ種類対応表で定義されるデータは、それぞれ種類（ｋｉｎｄ）、対象（ｏｂｊｅｃｔ）を持っており、指定された種類に対応した対象で示される表示形態に決定される。
【００７７】
図１７から図１８は、実施形態１における、前記スケジューラ形式表示処理で表示される画面の一例である。
【００７８】
図１７は時間軸週間スケジュールの表示画面の一例であり、スケジュールが存在する日の該時間帯にスケジュール概要とデータが表示されており、更にスケジュールデータとコンテンツデータの境界１７１が示されている。
【００７９】
図１８は時間軸日間スケジュールの表示画面の一例であり、該時間帯にスケジュール概要とデータが表示されており、更にスケジュールデータとコンテンツデータの境界１８１が示されている。
【００８０】
図１９は、実施形態１において、表示領域変更処理の流れを示した図の一例である。表示領域変更処理では、図２０を用いて後述するような、ペン２０２を用いた領域境界２０１のドラッグ操作に対応して、表示領域変更が実現される。
【００８１】
同図において、ステップｓ１９０１で、タップ中かどうか判断される。その結果、タップ中と判断された場合、ステップ１９０２に進み、タップ位置が有効な位置かどうか判断される。その結果、有効位置と判断されなかった場合、再びステップｓ１９０１に戻り、処理を繰り返す。
【００８２】
ステップｓ１９０２で有効位置と判断された場合、ステップｓ１９０３の境界表示処理により、タップ位置に境界を表示し、再びステップｓ１９０１に戻り、処理を繰り返す。
【００８３】
ステップｓ１９０１で、タップ中と判断されなかった場合、ステップｓ１９０４の表示領域確定処理により、前述のスケジューラ表示処理の表示領域決定処理で参照される情報を確定し、続くステップｓ１９０５のスケジュール表示処理により再描画して、処理を終了する。
【００８４】
図２０は、図１８を用いて説明した時間軸日間スケジュールの、境界位置を変更した場合の表示画面の一例であり、該時間帯にスケジュール概要とデータが表示されており、更にスケジュールデータとコンテンツデータの境界２０１が示されている。
【００８５】
また、ペン２０２を用いて、前記境界２０１は、図１８の境界１８１の位置から移動され、それに対応してスケジュールデータ及びコンテンツデータが再配置されている。
【００８６】
このように、実施形態１で示した本発明により、一度に表示可能なデータ数に限界がある限定された表示領域に大量データを表示する場合であっても、スケジュールデータとコンテンツデータの表示境界を、操作者の指示によって変更可能とすることで、データの特定を容易にする効果がある。
【００８７】
（実施形態２）
図２１は、実施形態１で説明した全体処理の、実施形態２における流れを示した図の一例である。
【００８８】
同図において、ステップｓ２１０１のイベント入力処理で、ユーザーによる操作、発生したイベントが入力検知される。
【００８９】
その結果、続くステップｓ２１０２で終了が指示されたと判断された場合、処理を終了する。
【００９０】
ステップｓ２１０２でスケジューラ形式表示が指示されたと判断された場合、ステップｓ２１０３のスケジューラ表示処理で各種データが表示された後、ステップｓ２１０１に戻り、処理を繰り返す。
【００９１】
ステップｓ２１０２でズーム操作が行われたと判断された場合、ステップｓ２１０４のズーム倍率変更処理により、ズーム倍率を変更した後、ステップｓ２１０１に戻り、処理を繰り返す。
【００９２】
ステップｓ２１０２で優先指定操作が行われたと判断された場合、ステップｓ２１０５の優先指定変更処理により、スケジュールデータ又はコンテンツデータのいずれを優先すべきかの情報を変更した後、ステップｓ２１０１に戻り、処理を繰り返す。
【００９３】
ステップｓ２１０２で上記以外のその他の処理が指示されたと判断された場合、ステップｓ２１０６の個別処理で対応する処理が実行された後、ステップｓ２１０１に戻り、処理を繰り返す。
【００９４】
図２２は、実施形態２において、ズーム倍率変更処理の流れを示した図の一例である。
【００９５】
同図において、ステップｓ２２０１でタップ位置が何か判断する。
【００９６】
その結果、ステップｓ２２０１でタップ位置がアイコンであると判断された場合、ステップｓ２２０２のアイコンズーム倍率変更処理により、アイコンの大きさ指定を変更し、処理を終了する。
【００９７】
ステップｓ２２０１でタップ位置が文字列であると判断された場合、ステップｓ２２０３のフォントズーム倍率変更処理により、文字列の大きさ指定を変更し、処理を終了する。
【００９８】
ステップｓ２２０１でタップ位置が時間軸であると判断された場合、ステップｓ２２０４の時間軸ズーム倍率変更処理により、時間軸の間隔指定を変更し、処理を終了する。
【００９９】
図２３は、図１８を用いて説明した時間軸日間スケジュールの、アイコンサイズを変更した場合の表示画面の一例であり、該時間帯にスケジュール概要とデータが表示されており、更にスケジュールデータとコンテンツデータの境界２３１が示されている。
【０１００】
また、ペン２３２を用いて、アイコン表示中のデータが選択され、ズーム操作に対応した拡大率で拡大された結果に対応して、スケジュールデータ及びコンテンツデータが再配置されている。
【０１０１】
図２４は、図１８を用いて説明した時間軸日間スケジュールの、フォントサイズを変更した場合の表示画面の一例であり、該時間帯にスケジュール概要とデータが表示されており、更にスケジュールデータとコンテンツデータの境界２４１が示されている。
【０１０２】
また、ペン２４２を用いて、スケジュール表示中の文字列が選択され、ズーム操作に対応した拡大率で拡大された結果に対応して、文字列のフォントが拡大表示されている。
【０１０３】
図２５は、図１８を用いて説明した時間軸日間スケジュールの、時間軸間隔を変更した場合の表示画面の一例であり、該時間帯にスケジュール概要とデータが表示されており、更にスケジュールデータとコンテンツデータの境界２５１が示されている。
【０１０４】
また、ペン２５２を用いて、時間軸が選択され、ズーム操作に対応した拡大率で拡大された結果に対応して、スケジュールデータ及びコンテンツデータが再配置されている。
【０１０５】
このように、実施形態２で示した本発明により、一度に表示可能なデータ数に限界がある限定された表示領域に大量データを表示する場合であっても、注目する情報を拡大・縮小操作可能とすることで、データの特定を容易にする効果がある。
【０１０６】
（実施形態３）
図２６は、実施形態１で説明したスケジューラ表示処理で実行される、実施形態３におけるスケジュール表示処理の流れを示した図の一例である。
【０１０７】
同図において、ステップｓ２６０１でスケジュール表示の目的が、スケジュールデータの操作を目的としているか、スケジュールデータを目印としたコンテンツデータの検索を目的としているか判断する。
【０１０８】
その結果、ステップｓ２６０１でデータ検索のみを目的としていると判断された場合、ステップｓ２６０２のスケジュールデータ操作禁止表示処理により、図２７を用いて後述するような、通常のスケジュールデータの表示とは区別可能な、操作禁止を意味する形態で表示して、処理を終了する。
【０１０９】
ステップｓ２６０１でデータ検索のみを目的としていると判断されなかった場合、ステップｓ２６０３のスケジュールデータ表示処理により、通常の操作可能な形態でスケジュールデータを表示し、処理を終了する。
【０１１０】
図２７は、図１８を用いて説明した時間軸日間スケジュールの、スケジュールデータをコンテンツデータ検索の目印とした場合の、スケジュールデータ操作禁止状態での表示画面の一例が示されている。
【０１１１】
このように、実施形態３で示したように、スケジュールデータの操作を目的とせずに、コンテンツデータ検索の目印のみを目的とした表示が可能となり、コンテンツデータ検索の操作性向上効果がある。
【０１１２】
（実施形態４）
図２８は、実施形態２で説明した全体処理で実行される、実施形態３における優先指定変更処理の流れを示した図の一例である。
【０１１３】
同図において、ステップｓ２８０１で行われた操作が、何を優先指定したか判断される。
【０１１４】
その結果、ステップｓ２８０１でスケジュールデータを優先したと判断された場合、ステップｓ２８０２でスケジュール優先として、処理を終了する。
【０１１５】
ステップｓ２８０１でコンテンツデータを優先したと判断された場合、ステップｓ２８０３でコンテンツ優先として、処理を終了する。
【０１１６】
図２９は、図１８を用いて説明した時間軸日間スケジュールの、スケジュールデータを優先指定した場合の、表示画面の一例が示されている。
【０１１７】
同図において、優先指定されていないコンテンツデータは、存在の有無だけがわかるような形態で表示されている。
【０１１８】
図３０は、図１８を用いて説明した時間軸日間スケジュールの、コンテンツデータを優先指定した場合の、表示画面の一例が示されている。
【０１１９】
同図において、優先指定されていないスケジュールデータは、存在の有無だけがわかるような形態で表示されている。
【０１２０】
図３１は、実施形態２で説明したズーム倍率変更処理の、実施形態３における流れを示した図の一例である。
【０１２１】
同図において、ステップｓ３１０１でタップ位置が何か判断する。
【０１２２】
その結果、ステップｓ３１０１でタップ位置がスケジュールデータ表示領域であると判断された場合、ステップｓ３１０２のスケジュール領域ズーム倍率変更処理により、スケジュール領域の大きさ指定を変更し、処理を終了する。これにより、図２９で前述のような形態で表示される。
【０１２３】
ステップｓ３１０１でタップ位置がコンテンツデータ表示領域であると判断された場合、ステップｓ３１０３のコンテンツ領域ズーム倍率変更処理により、コンテンツ領域の大きさ指定を変更し、処理を終了する。これにより、図３０で前述のような形態で表示される。
【０１２４】
このように、実施形態４で示した本発明により、一度に表示可能なデータ数に限界がある限定された表示領域に大量データを表示する場合であっても、優先表示したい対象を指定可能とすることで、データの特定を容易にする効果がある。
【０１２５】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１２６】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０１２７】
この場合、記憶媒体から読出されたプログラムコード自体が前述した実施形態の機能を実現することになり、そのプログラムコードを記憶した記憶媒体は本発明を構成することになる。
【０１２８】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３０】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１３１】
本発明を上記記憶媒体に適用する場合、その記憶媒体には、先に説明した図に示すフローチャートに対応するプログラムコードが格納されることになる。
【図面の簡単な説明】
【０１３２】
【図１】従来技術において、スケジューラ形式表示処理を示すフローチャートである。
【図２】従来技術において、スケジュールデータベースを示す図である。
【図３】従来技術において、時間軸週間スケジュール画面を示す図である。
【図４】従来技術において、時間軸日間スケジュール画面を示す図である。
【図５】従来のスケジューラ形式表示処理を示すフローチャートである。
【図６】従来の時間軸週間スケジュール画面を示す図である。
【図７】従来の時間軸日間スケジュール画面を示す図である。
【図８】本実施形態の情報処理装置のハードウェア構成を示すブロック図である。
【図９】実施形態１において、全体処理を示すフローチャートである。
【図１０】実施形態１において、スケジューラ形式表示処理を示すフローチャートである。
【図１１】実施形態１において、スケジューラ形式データ表示処理を示すフローチャートである。
【図１２】実施形態１において、データ表示処理を示すフローチャートである。
【図１３】実施形態１において、大量データ表示処理を示すフローチャートである。
【図１４】実施形態１において、大量データ重ね合せ表示処理を示すフローチャートである。
【図１５】実施形態１において、データベースを示す図である。
【図１６】実施形態１において、データ種類対応表を示す図である。
【図１７】実施形態１において、時間軸週間スケジュール画面を示す図である。
【図１８】実施形態１において、時間軸日間スケジュール画面を示す図である。
【図１９】実施形態１において、表示領域変更処理を示すフローチャートである。
【図２０】実施形態１において、表示領域変更後の時間軸日間スケジュール画面を示す図である。
【図２１】実施形態２において、全体処理を示すフローチャートである。
【図２２】実施形態２において、ズーム倍率変更処理を示すフローチャートである。
【図２３】実施形態２において、アイコンズーム後の時間軸日間スケジュール画面を示す図である。
【図２４】実施形態２において、フォントズーム後の時間軸日間スケジュール画面を示す図である。
【図２５】実施形態２において、時間軸ズーム後の時間軸日間スケジュール画面を示す図である。
【図２６】実施形態３において、スケジュール表示処理を示すフローチャートである。
【図２７】実施形態３において、スケジュールデータ操作禁止状態での時間軸日間スケジュール画面を示す図である。
【図２８】実施形態４において、優先指定変更処理を示すフローチャートである。
【図２９】実施形態４において、スケジュールデータ優先表示での時間軸日間スケジュール画面を示す図である。
【図３０】実施形態４において、コンテンツデータ優先表示での時間軸日間スケジュール画面を示す図である。
【図３１】実施形態４において、ズーム倍率変更処理を示すフローチャートである。
【図１】
2006139466.tif 000003
【図２】
2006139466.tif 000004
【図３】
2006139466.tif 000005
【図４】
2006139466.tif 000006
【図５】
2006139466.tif 000007
【図６】
2006139466.tif 000008
【図７】
2006139466.tif 000009
【図８】
2006139466.tif 000010
【図９】
2006139466.tif 000011
【図１０】
2006139466.tif 000012
【図１１】
2006139466.tif 000013
【図１２】
2006139466.tif 000014
【図１３】
2006139466.tif 000015
【図１４】
2006139466.tif 000016
【図１５】
2006139466.tif 000017
【図１６】
2006139466.tif 000018
【図１７】
2006139466.tif 000019
【図１８】
2006139466.tif 000020
【図１９】
2006139466.tif 000021
【図２０】
2006139466.tif 000022
【図２１】
2006139466.tif 000023
【図２２】
2006139466.tif 000024
【図２３】
2006139466.tif 000025
【図２４】
2006139466.tif 000026
【図２５】
2006139466.tif 000027
【図２６】
2006139466.tif 000028
【図２７】
2006139466.tif 000029
【図２８】
2006139466.tif 000030
【図２９】
2006139466.tif 000031
【図３０】
2006139466.tif 000032
【図３１】
2006139466.tif 000033